(57)【特許請求の範囲】
【請求項１】
平面状に並べた網目の異なる複数の網と各々の網を仕切るための枠とからなることを特徴とする積雪粒度判別用篩。
【請求項２】
前記積雪粒度判別用篩における枠が網を上下から挟み込むように構成され、該網が交換可能となるように該網を挟み込む該枠が脱着自在に設けられたことを特徴とする請求項１記載の積雪粒度判別用篩。
【請求項３】
積雪粒度判別用の篩が携帯できる大きさであることを特徴とする請求項１又は２記載の積雪粒度判別用篩。
【発明の詳細な説明】
【０００１】
【発明の属する技術分野】
本発明は、積雪粒度を判別するにあたり、測定の客観性を担保しつつ積雪の粒度判別が行える篩分けを適用しても、手間と時間をかけずに積雪粒度の判別ができる積雪粒度判別用篩に関する。
【０００２】
【従来の技術】
積雪は多くの小さな積雪粒子、いわゆる雪粒（氷粒とも呼ぶ）が網目状につながった構造をしており、雪粒の大きさ、形及びその結合具合は、積雪の性質に大きな影響を及ぼす。このため、積雪の性質を理解する上で、これらの観察は欠かせず、特に雪粒の大きさ、いわゆる雪粒の粒度を知ることは極めて重要なことである。
【０００３】
従来より、野外で積雪粒度の判別のために雪粒の大きさ、いわゆる雪粒の粒度を測定する場合、一般的には１ｍｍ又は２ｍｍ間隔の方眼紙を透明なプラスチックケースに封入した粒度ゲージを使用して測定を行ってきた。具体的には、積雪からこのゲージの上に雪粒を掻き落とし、そのゲージに封入した方眼紙の目盛を使って、その平均的な粒径を求め、その積雪の粒度と判断する（例えば、非特許文献１参照）。
【０００４】
積雪の粒度を判別する方法としては、他に、粒径判別標本を使用する方法が知られている（例えば、非特許文献２、３参照）。粒径判別標本とは、例えば、０．２ｍｍ、０．５ｍｍ、１．０ｍｍ、２．０ｍｍのような所定の粒径を有する少量のガラスビーズを各粒径毎に集団としてまとめ、これを一列に並べて２枚のプラスチック板の間に閉じ込めたものである（図１参照）。粒径判別標本を使用した積雪粒度の判別方法の特徴は、雪粒の粒径を個々に測定するのではなく、雪粒の集団が、ガラスビーズを各粒径毎にまとめた集団のうち、いずれの集団に属するかを肉眼で比較することにより、視覚的に粒度を判別する点にある。
【０００５】
この他の積雪の粒度を判別する方法としては、野外においてバラバラにした雪粒の直径を顕微鏡下で測定してその粒度を求めて積雪の粒度とする方法や、篩分けを使用したもの等が使用されてきた。
【０００６】
篩い分けを使用した積雪の粒度測定は、篩にかけた固体粒子を篩網の目開き、いわゆる篩の目を通過するか否かで分別することにより、固体粒子の粒度分布を測定し、この結果に基づいて積雪の粒度を判別しようとするものである。
【０００７】
篩分けにより積雪粒度を求める方法としては、円筒状の篩を篩の目の細かいものから粗いものへと順番に積み上げた一組の篩を使用して、振動により積雪を篩分けする方法が一般的に知られてきた。
【０００８】
この方法の特徴は、円筒状の篩を篩の目の細かいものから粗いものへと順番に積み上げた一組の篩を使用することにより、積雪を目の一番粗い最上部の篩に入れて、振動による篩落としをしただけで、各篩に溜まった積雪を構成する雪粒の重量を測定して得られる粒度分布から雪粒の粒度を判別できる点にある。
【０００９】
この篩分けで使用する篩は、振動によって各篩の連結部分から雪粒がこぼれ出ないようにするため、各篩の連結部分をはめ込むことにより固定している。
【００１０】
これは、篩分けの対象となる固体粒子の粒度測定や粒揃えを効率良く行う必要があるからであり、更に、その対象として、通常、積雪のような付着性や凝集性の高い固体粒子ではなく、付着性や凝集性の低い固体粒子を想定しているため、網への付着や粒子同士の凝集は余り問題とはならず、使用中に篩を取り外すことを考慮せずに済むからである。
【００１１】
【非特許文献１】
北海道雪崩事故防止研究会編（２００２）、山と渓谷社出版、「決定版雪崩学」（４．２．（３）雪質と粒径）、ｐ９０−９１
【非特許文献２】
納口恭明（１９９９）著、「ビーズ積雪粒度ゲージの提案」、１９９９年度日本氷雪学会全国大会講演予稿集、ｐ６１
【非特許文献３】
納口恭明（１９９９）著、「ビーズ積雪粒度ゲージ“ＢＥＡＤＳＮＯＷ２０００”」、２０００年度日本氷雪学会全国大会講演予稿集、ｐ１０４
【００１２】
【発明が解決しようとする課題】
前記積雪粒度判別のために粒度ゲージを使用して雪粒の粒度を測定する方法は、ゲージの上で雪粒を一つ一つゲージ下の方眼紙の目盛と照らし合わせながら目視により測定しなければならないため、判定に悩むことが多く、また、測定値の個人差も大きく、測定の客観性が担保しにくいという課題を有する。
【００１３】
前記粒径判別標本を使用した雪粒の粒度の判別方法は、粒径判別標本と雪粒の集団を肉眼で比較しながら、視覚的に粒度を判定するため、正確な判断が難しく、また、測定の客観性が担保しにくいという課題を有する。
【００１４】
前記雪粒の直径を顕微鏡下で測定する雪粒粒度の判別方法は、一つの積雪の粒度判別に少なくとも数十以上の雪粒をサンプリングして積雪粒度を測定しなければならず、測定に長時間を要するため、０℃以上の温度ですぐに融解する雪粒の測定には不向きであるという課題を有する。
【００１５】
前記振動による篩分けを使用した雪粒粒度の判別方法は、含水率が低く、凝集性の低い固体粒子に対して適用するには優れた方法であるが、含水率が高く、粒子間の凝集力により粒子同士が凝集してしまう固体粒子に対して適用する場合には以下の課題がある。
【００１６】
この課題は、含水率や凝集性の低い固体粒子であれば、たとえ凝集していたとしても、振動を与えるだけで分離でき、篩網の目開き、いわゆる篩の目より小さい粒子は簡単にその目を通過するが、含水率が高く、粒子間の凝集力により容易に粒子同士が凝集してしまうような固体粒子であれば、振動を与えるだけで凝集した粒子同士を分離することは困難であり、凝集した粒子同士を分離するための作業、具体的には、水の表面張力や粒子間の凝集力により凝集した積雪が網目を通過できるように手で押し付けたり、擦り付けたりする作業が必要になるというものである。
【００１７】
この課題は粒子同士が特に凝集し易い雪粒に対して適用する場合に大きな問題となる。
【００１８】
更に、使用する篩は、円筒状の篩を篩の目の細かいものから粗いものへと順番に積み上げ、連結部分をはめ込み式にした一組の篩から構成されるものである。一方、含水率が高く、融け易い積雪の雪粒粒度を測定しようとすると、濡れた雪粒が篩の目で付着したり、雪粒同士が凝集して団子状になってしまう等するため、篩の目を通過しないことが多い。このため、このような連結部分をはめ込み式にした一組の篩を雪粒粒度の判別のために使用することは、付着力や凝集力により付着、凝集した積雪が網目を通過できるように手で押し付けたり、擦り付けたりする作業を必要とするため、その度に連結部分を一旦取り外さなければならず、その作業に多くの手間と時間を要するという課題を有することになる。特に、この手間と時間は、０℃以上の温度ですぐに融解する雪粒の粒度測定には大きな課題である
【００１９】
また、積雪の雪粒粒度の測定に必用な篩は、野外での測定が可能なように、携帯できる大きさであって、篩を構成する網の網目も必用に応じて交換可能なものであることが望ましい。
【００２０】
従って、本発明では、上記課題を解決するため、積雪粒度を判別するにあたり、測定の客観性を担保しつつ積雪の粒度判別が行える篩分けを適用しても、手間と時間をかけずに積雪粒度の判別ができる積雪粒度判別用篩を提供することを目的とする。
【００２１】
【課題を解決するための手段】
本発明は、平面状に並べた網目の異なる複数の網と各々の網を仕切るための枠とからなる積雪粒度判別用篩が、付着、凝集し易い積雪に対しては網目を通過できるように手で押し付けたり、擦り付けたりする作業を行い易いので、手間と時間をかけずに篩を使って積雪粒度を測定することができるという知見と、篩が網と網を固定するための枠とからなる積雪粒度判別用の篩であって、該枠が該網を上下から挟み込むように構成され、該網が交換可能となるように該網を挟み込む該枠が脱着自在に設けられた積雪粒度判別用篩であれば、該積雪粒度判別用篩を構成する篩の網を必要に応じて簡単に交換できるという知見とに基づいてなされたものである。
【００２２】
なお、ここでいう積雪とは、いわゆる雪と呼ばれるものに限定するものではなく、雹や霰等も含む意である。
【００２３】
【発明の実施の形態】
以下、本発明の実施の形態について詳細に説明する。図２は本発明の実施形態の一例を示したものである。図２を用いて本発明に係る積雪粒度判別用篩を説明すると、平面状に並べた網目の異なる複数の網（３ａ〜３ｅ）と各々の網を仕切るための枠（４）とからなることを特徴とするものである。
【００２４】
本発明に係る積雪粒度判別用篩は、図２〜４に従えば、網目の異なる５つの網（３ａ〜３ｅ）と枠（４）とからなり、網目の異なる５つの網（３ａ〜３ｅ）を平面状に目の細かいものから順に左から右へと横一列に並べ、その網（３ａ〜３ｅ）を枠（４）で固定するとともに、各々の網をその枠（４）で仕切るように構成される。
【００２５】
網を枠で固定する形態としては、網が枠に固定されていればよいので、例えば、図４の（ア）〜(ウ)に示すようなものがあり、中でも網が安定に固定された（ア）が好ましい。
【００２６】
各網の目の大きさは、任意に規定することができ、本実施例では、３ａは０．２ｍｍ、３ｂは０．５ｍｍ、３ｃは１．０ｍｍ、３ｄは２．０ｍｍ、３ｅは５．０ｍｍとした。もっとも、網目の異なる網は必ずしも５つに限るものではなく、二以上、即ち複数であればよい。
【００２７】
また、本発明に係る積雪粒度判別用篩を構成している複数の網（３ａ〜３ｅ）は平面状に並んでいればよく、必ずしも横一列である必要はない。
【００２８】
更に、各々の網を仕切る枠が図２のように必ずしも一体となっている必要はなく、枠で囲まれて仕切られた網（３ａ〜３ｅ）の各々を独立した一つのユニットの篩（４ａ〜４ｅ）とした場合、本発明に係る積雪粒度判別用篩は、連結可能な独立した４ａ〜４ｅの篩を平面状に連結したものであってもよい（図５）。連結部は連結可能な構成であればよく、例えば、ユニット毎（４ａ〜４ｅ）にはめ込み式の連結部分（６）が設けられていて、互いのユニットをこのはめ込み（６）を介して連結することにより、各ユニットを自在に平面状に連結した一組の積雪粒度判別用篩とする場合や連結部分がテープにより互いのユニットを連結・脱着可能にしている場合がある。この場合も複数の網（３ａ〜３ｅ）は平面状に並んでいればよく、必ずしも横一列である必要はない。
【００２９】
網（３ａ〜３ｅ）の材質としては、例えば金属やプラスチック等が、枠（４）の材質としては、例えば木、プラスチック又は金属等が使用できる。
【００３０】
このような構成により、手で押し付けたり、擦り付けたりすれば、たとえ作業中に雪粒が網目に付着したり、雪粒同士が団子状になったりしても容易に網目を通過させることができるので、手間や時間をかけずに篩分けができる。
【００３１】
本発明に係る積雪粒度判別用篩（５）は、図６，７を用いて説明すると、該篩が網（３ａ〜３ｅ）と網を固定するための枠（４）とからなる積雪粒度判別用の篩（５）であって、該枠（４）が該網（３ａ〜３ｅ）を上下から挟み込むように構成され、該網（３ａ〜３ｅ）が交換可能となるように該網（３ａ〜３ｅ）を挟み込む該枠（４）が脱着自在に設けられたことを特徴とするものである。
【００３２】
本発明に係る積雪粒度判別用篩（５）は網（３ａ〜３ｅ）と網を固定するための二つの枠（４Ａ，４Ｂ）とからなり、該枠（４Ａ，４Ｂ）が該網（３ａ〜３ｅ）を上下から挟み込むように構成され、該網（３ａ〜３ｅ）を挟み込む該枠（４Ａ，４Ｂ）同士が脱着自在になるように、例えば、枠の外側を脱着可能なクリップ式の止め具（７）で固定することにより、構成されている。
【００３３】
このような構成により、網（３ａ〜３ｅ）を交換する場合には、クリップ式止め具（７）を取り外して、その上枠（４Ａ）を一旦外し、既存の網（３ａ〜３ｅ）を交換したい網に置き換えた後、もう一度取り外した上枠（４Ａ）を設置してクリップ式止め具（７）で固定することができるので、網（３ａ〜３ｅ）を必要に応じて簡単に交換できる。もっとも、枠同士を固定するものはクリップ式止め具（７）に限るものではなく、両枠が脱着自在になるように固定できるものであればよい。
【００３４】
本発明の積雪粒度判別用篩は、積雪粒度判別用の篩が携帯できる大きさであることを特徴とするものである。
【００３５】
具体的には、携帯可能な大きさであることが好ましく、特にポケットサイズ、例えば野外で使用される前記粒度ゲージや前記粒径判別標本程度のものであることが好ましい。
【００３６】
このような構成により、野外での測定も楽に行える。
【００３７】
以下に、本発明の積雪粒度判別用篩を使用して積雪の粒度を判別する方法について説明する。
【００３８】
本発明の積雪粒度判別用篩では、測定対象となる積雪が水を含み付着、凝集しやすい状態にあるかないかに拘わらず、測定対象となる積雪を採り出し、前記積雪粒度判別用篩を構成する網に手で押し付けたり、擦り付けたりして篩分けを行う。手で押し付けたり、擦り付けたりすれば、たとえ作業中に雪粒が網目に付着したり、雪粒同士が団子状になったりしても振動させるよりも容易に網目を通過させることができるので、手間や時間をかけずに篩分けができるからである。
【００３９】
積雪粒度判別は、本発明の積雪粒度判別用篩に積雪を入れて篩分けを行ったときの各網（３ａ〜３ｅ）を通過した雪粒の有無や割合から判別する。例えば、０．２ｍｍ（３ａ）と０．５ｍｍ（３ｂ）の網目は全く雪粒が通過せず、１．０ｍｍ（３ｃ）以上の網目では全ての雪粒が通過したとすると、粒度は０．５−１．０ｍｍと判別する。また、０．２ｍｍ（３ａ）の網目を通過せず、０．５ｍｍ（３ｂ）の網目は半分程度通過、１．０ｍｍ（３ｃ）の網目は全て通過したとすると、この粒度は０．２−１．０ｍｍと判別する。
【００４０】
【発明の効果】
本発明の積雪粒度判別用篩によると、測定の客観性を担保しつつ、大量の積雪粒度判別が行えるだけでなく、手間と時間をかけずに積雪粒度の判別ができるという効果を奏する。
【００４１】
具体的には、本発明の積雪粒度判別用篩によると、網の目の異なる篩が平面状に並んでいるため、付着、凝集した積雪が網目を通過できるように手で押し付けたり、擦り付けたりする作業が容易になり、その結果、測定に要する時間も大幅に短くなるため、積雪をほとんど融解させずに測定の客観性を担保しつつ、大量の積雪粒度判別が行えるという効果を奏する。
【００４２】
本発明の積雪粒度判別用篩によると、積雪粒度の判別のみならず、積雪と同様で含水率が高く、粒子間の凝集力により容易に粒子同士が凝集してしまうような固体粒子、例えば、水分を含み、凝集し易い土粉のような粒度判別にも使用可能である。
【００４３】
また、本発明の積雪粒度判別用篩によると、携帯可能な大きさであり、また、目の異なる篩を任意に並びかえることも、本発明を構成する篩の網を簡単に交換することも可能であることから、野外における積雪粒度判別の測定が非常に行い易いという効果も奏する。
【図面の簡単な説明】
【図１】  粒径判別標本の正面図
【図２】  本発明である積雪粒度判別用篩の正面図
【図３】  本発明である積雪粒度判別用篩の斜視図
【図４】  本発明である積雪粒度判別用篩（図２）のＩ−Ｉ’矢視断面図
【図５】  本発明である独立したユニットを連結して構成される積雪粒度判別用篩の正面図
【図６】  本発明である二組の枠からなる積雪粒度判別用篩の斜視図
【図７】  本発明である二組の枠からなる積雪粒度判別用篩（図６）のＩＩ−ＩＩ’矢視断面図
【符号の説明】
１    プラスチック基板
２ａ  ０．２ｍｍガラスビーズ
２ｂ  ０．５ｍｍガラスビーズ
２ｃ  １．０ｍｍガラスビーズ
２ｄ  ２．０ｍｍガラスビーズ
３ａ  ０．２ｍｍ
３ｂ  ０．５ｍｍ
３ｃ  １．０ｍｍ
３ｄ  ２．０ｍｍ
３ｅ  ５．０ｍｍ
４    枠
４Ａ  上枠
４Ｂ  下枠
４ａ  ０．２ｍｍの網目をもつ篩
４ｂ  ０．５ｍｍの網目をもつ篩
４ｃ  １．０ｍｍの網目をもつ篩
４ｄ  ２．０ｍｍの網目をもつ篩
４ｅ  ５．０ｍｍの網目をもつ篩
５    積雪粒度判別用篩
６    はめ込み式連結部分
７    クリップ式留め具
【図１】
0003682537.tif 000002
【図２】
0003682537.tif 000003
【図３】
0003682537.tif 000004
【図４】
0003682537.tif 000005
【図５】
0003682537.tif 000006
【図６】
0003682537.tif 000007
【図７】
0003682537.tif 000008